(57)【要約】      （修正有）【課題】パススルーされた地上波デジタル放送波が流れるチャンネルを容易に検出可能なテレビジョン受信機を提供する。【解決手段】ＵＨＦ帯にて放送される地上波デジタル放送の放送電波をＶＨＦ帯又はＣＡＴＶ帯にパススルーして出力するパススルー装置を介して、前記放送電波を受信するテレビジョン受信機であって、前記ＶＨＦ帯において選局されたチャンネルに前記放送電波が存在するか否かを判別し、前記放送電波が存在すれば前記ＶＨＦ帯のみのチャンネルスキャンを実行し、前記放送電波が存在しなければ次のチャンネルを選局する第１スキャン手段と、前記ＣＡＴＶ帯において同様な処理を施す第２スキャン手段と、前記ＵＨＦ帯において同様な処理を施す第３スキャン手段と、前記放送波が存在するチャンネルを検出するまで、前記第１乃至第３スキャン手段による処理を順次繰り返す繰返手段と、を備えるテレビジョン受信機。【選択図】図２
2005318182.tif 000002
【特許請求の範囲】
【請求項１】
ＵＨＦ帯にて放送される地上波デジタル放送の放送電波をＶＨＦ帯又はＣＡＴＶ帯にパススルーして出力するパススルー装置を介して、前記放送電波を受信するテレビジョン受信機であって、
前記ＶＨＦ帯において選局されたチャンネルに前記放送電波が存在するか否かを判別し、前記放送電波が存在すれば前記ＶＨＦ帯のみのチャンネルスキャンを実行し、前記放送電波が存在しなければ次のチャンネルを選局する第１スキャン手段と、
前記ＣＡＴＶ帯において選局されたチャンネルに前記放送電波が存在するか否かを判別し、前記放送電波が存在すれば前記ＣＡＴＶ帯のみのチャンネルスキャンを実行し、前記放送電波が存在しなければ次のチャンネルを選局する第２スキャン手段と、
前記ＵＨＦ帯において選局されたチャンネルに前記放送電波が存在するか否かを判別し、前記放送電波が存在すれば前記ＵＨＦ帯のみのチャンネルスキャンを実行し、前記放送電波が存在しなければ次のチャンネルを選局する第３スキャン手段と、
前記放送波が存在するチャンネルを検出するまで、前記第１乃至第３スキャン手段による処理を順次繰り返す繰返手段と、
を備えることを特徴とするテレビジョン受信機。
【請求項２】
ＵＨＦ帯にて放送される地上波デジタル放送の放送電波をＶＨＦ帯又はＣＡＴＶ帯にパススルーして出力するパススルー装置を介して、前記放送電波を受信するテレビジョン受信機であって、
前記ＶＨＦ帯において選局されたチャンネルに前記放送電波が存在するか否かを判別し、前記放送電波が存在すれば前記ＶＨＦ帯のみのチャンネルスキャンを実行し、前記放送電波が存在しなければ次のチャンネルを選局する第１スキャン手段と、
前記ＣＡＴＶ帯において選局されたチャンネルに前記放送電波が存在するか否かを判別し、前記放送電波が存在すれば前記ＣＡＴＶ帯のみのチャンネルスキャンを実行し、前記放送電波が存在しなければ次のチャンネルを選局する第２スキャン手段と、
前記放送波が存在するチャンネルを検出するまで、前記第１及び第２スキャン手段による処理を順次繰り返す繰返手段と、
を備えることを特徴とするテレビジョン受信機。
【請求項３】
前記ＵＨＦ帯において選局されたチャンネルに前記放送電波が存在するか否かを判別し、前記放送電波が存在すれば前記ＵＨＦ帯のみのチャンネルスキャンを実行し、前記放送電波が存在しなければ次のチャンネルを選局する第３スキャン手段をさらに備え、
前記繰返手段は、前記放送波が存在するチャンネルを検出するまで、前記第１乃至第３スキャン手段による処理を順次繰り返すことを特徴とする、請求項２に記載のテレビジョン受信機。
【発明の詳細な説明】
【技術分野】
【０００１】
本発明は、テレビジョン放送受信機、特に、ＵＨＦ帯にて放送される地上波デジタル放送の放送電波をＶＨＦ帯又はＣＡＴＶ帯にパススルーして出力するパススルー装置を介して、放送電波を受信するテレビジョン受信機に関する。
【背景技術】
【０００２】
特許文献１には、アナログ放送電波の映像搬送波の周波数ｆｖが位置する第３番目のセグメントに対応する周波数にフィルタを設定し、映像搬送波を検出すると、当該チャンネルをアナログ放送用の物理チャンネルと判断し、一方、映像搬送波を検出しない場合には、デジタル放送波についての局検出を当該物理チャンネルにおいて実行する自動選局装置が記載されている。
【０００３】
特許文献２には、中間周波数信号を検波器に入力し、検波器において受信放送波がアナログ番組であるかデジタル番組であるかを検知し、その結果をＣＰＵに出力し、ＣＰＵによって、復調部が受信放送波に適した復調方式を実行するように制御する受信機が記載されている。
【０００４】
特許文献３には、地上波デジタル放送について全周波数帯域に亘ってチャンネルスキャンを実行し、その結果、地上波デジタル放送を１チャンネル以上検出した場合には、地上波アナログ方法について全周波数に亘ってチャンネルスキャンを実行し、一方、地上波デジタル放送を検出しなかった場合には、ゲーブル波アナログ放送について全周波数に亘ってチャンネルスキャンを実行する受信装置が記載されている。
【特許文献１】特開２００３−３２５６２号公報（第８頁、第７図）
【特許文献２】特開２００３−４６８８３号公報（第３頁、第１図）
【特許文献３】特開２００３−２１９２８９号公報（第６頁、第２図）
【発明の開示】
【発明が解決しようとする課題】
【０００５】
ところで、地上波デジタル放送では、放送される周波数帯域が地域によって異なるため、チャンネルスキャンが必要である。地上波デジタル放送が放送される周波数帯域は、一般に、ＵＨＦ（ＵＨＦ１３〜ＵＨＦ６３）であるが、アパート等の共聴施設や、難視聴地域では、ＵＨＦ帯で受信した放送波をＶＨＦ又はＣＡＴＶの伝送路にパススルーさせて、各世帯に放送波を提供する場合がある。その際、ユーザには、どの帯域に放送波が流れているか分からないため、最悪の場合にはＵＨＦ、ＶＨＦ及びＣＡＴＶの全ての伝送路について全チャンネルに亘ってチャンネルスキャンを実行する必要があり、地上波デジタル放送が流れているチャンネルを見つけるのに非常に時間を要する問題がある。上記特許文献１乃至３の何れにも、地上波デジタル放送がパススルーされた場合についての問題点については記載されていない。特許文献３に記載の受信機では、デジタル放送波について地上波かケーブル波かの伝送路の特定を実行した後に、放送波が流れている伝送路においてアナログ放送のチャンネルスキャンを実行する。しかしながら、デジタル放送波については全チャンネルに亘ってチャンネルスキャンを実行するものである。
【０００６】
本発明の目的は、パススルーされた地上波デジタル放送波が流れるチャンネルを容易に検出可能なテレビジョン受信機を提供することにある。
【課題を解決するための手段】
【０００７】
第１発明に係るテレビジョン受信機は、ＵＨＦ帯にて放送される地上波デジタル放送の放送電波をＶＨＦ帯又はＣＡＴＶ帯にパススルーして出力するパススルー装置を介して、
前記放送電波を受信するテレビジョン受信機であって、前記ＶＨＦ帯において選局されたチャンネルに前記放送電波が存在するか否かを判別し、前記放送電波が存在すれば前記ＶＨＦ帯のみのチャンネルスキャンを実行し、前記放送電波が存在しなければ次のチャンネルを選局する第１スキャン手段と、前記ＣＡＴＶ帯において選局されたチャンネルに前記放送電波が存在するか否かを判別し、前記放送電波が存在すれば前記ＣＡＴＶ帯のみのチャンネルスキャンを実行し、前記放送電波が存在しなければ次のチャンネルを選局する第２スキャン手段と、前記ＵＨＦ帯において選局されたチャンネルに前記放送電波が存在するか否かを判別し、前記放送電波が存在すれば前記ＵＨＦ帯のみのチャンネルスキャンを実行し、前記放送電波が存在しなければ次のチャンネルを選局する第３スキャン手段と、
前記放送波が存在するチャンネルを検出するまで、前記第１乃至第３スキャン手段による処理を順次繰り返す繰返手段と、を備えることを特徴とする。
【０００８】
この受信機によれば、地上波デジタル放送がＶＨＦ帯、ＣＡＴＶ帯又はＵＨＦ帯にパススルーされて受信される場合に、地上波デジタル放送が存在するチャンネルの検出に要するチャンネルスキャン回数を低減でき、その結果、チャンネルスキャンに要する時間を短縮可能である。
【０００９】
第２発明に係るテレビジョン受信機は、ＵＨＦ帯にて放送される地上波デジタル放送の放送電波をＶＨＦ帯又はＣＡＴＶ帯にパススルーして出力するパススルー装置を介して、前記放送電波を受信するテレビジョン受信機であって、前記ＶＨＦ帯において選局されたチャンネルに前記放送電波が存在するか否かを判別し、前記放送電波が存在すれば前記ＶＨＦ帯のみのチャンネルスキャンを実行し、前記放送電波が存在しなければ次のチャンネルを選局する第１スキャン手段と、前記ＣＡＴＶ帯において選局されたチャンネルに前記放送電波が存在するか否かを判別し、前記放送電波が存在すれば前記ＣＡＴＶ帯のみのチャンネルスキャンを実行し、前記放送電波が存在しなければ次のチャンネルを選局する第２スキャン手段と、前記放送波が存在するチャンネルを検出するまで、前記第１及び第２スキャン手段による処理を順次繰り返す繰返手段と、を備えることを特徴とする。
【００１０】
この受信機によれば、地上波デジタル放送がＶＨＦ帯又はＣＡＴＶ帯にパススルーされて受信される場合に、地上波デジタル放送が存在するチャンネルの検出に要するチャンネルスキャン回数を低減でき、その結果、チャンネルスキャンに要する時間を短縮可能である。
【００１１】
第３発明に係るテレビジョン受信機は、第２発明に係るテレビジョン受信機において、前記ＵＨＦ帯において選局されたチャンネルに前記放送電波が存在するか否かを判別し、前記放送電波が存在すれば前記ＵＨＦ帯のみのチャンネルスキャンを実行し、前記放送電波が存在しなければ次のチャンネルを選局する第３スキャン手段をさらに備え、前記繰返手段は、前記放送波が存在するチャンネルを検出するまで、前記第１乃至第３スキャン手段による処理を順次繰り返すことを特徴とする。
【００１２】
この受信機によれば、地上波デジタル放送がさらにＵＨＦ帯にもパススルーされて受信される場合に、地上波デジタル放送が存在するチャンネルの検出に要するチャンネルスキャン回数を低減できる。
【発明を実施するための最良の形態】
【００１３】
（１）第１実施形態
〔構成〕
図１は、本発明の一実施形態に係るテレビジョン受信装置１の概略構成図である。
【００１４】
このテレビジョン受信装置１は、チューナ部２と、デコーダ３と、Ｄ／Ａ部４と、ＣＰＵ５と、ＲＡＭ６と、ＲＯＭ７と、チャンネルマップメモリ８とを備えている。チューナ部２は、ＣＰＵ５によって設定された周波数の放送波を受信する。デコーダ３は、チューナ部２が出力する放送信号を復調する。Ｄ／Ａ部４は、復調された信号をアナログ信号に
変換してモニタ等に出力する。ＣＰＵ５は、チューナ部２、デコーダ３等の各部を制御する。Ｄ／Ａ部４は、デジタル信号をアナログ信号に変換する。ＲＡＭ６は、ＣＰＵ５の作業に必要なデータ、処理結果等を蓄積する。ＲＯＭ７は、ＣＰＵ５で実行するプログラム、各種設定に必要なデータを蓄積している。チャンネルマップメモリ８は、チャンネルスキャンの結果、放送波の存在するチャンネルのチャンネル番号と、放送波を送信している放送事業者名等を対応付けて記録する。
【００１５】
テレビジョン受信装置１の入力端子は、パススルー装置９に電気的に接続されており、ＶＨＦ帯、ＣＡＴＶ帯、ＶＨＦ帯の各伝送路を介して放送波を受信する。パススルー装置は、アパート、マンション等の共聴施設、難視聴施設、ＣＡＴＶ事業者等に設置され、放送波が流れる伝送路を切り換える。本実施形態に係る装置９は、ＵＨＦ帯で放送される地上波デジタル放送波を受信し、ＶＨＦ帯に切り換える。ここでは、地上波デジタル放送波をＵＨＦ帯からＶＨＦ帯に切り換える場合を説明するが、任意の１以上の伝送路を流れる地上波デジタル放送波を、ＶＨＦ帯、ＣＡＴＶ帯、又はＵＨＦ帯の何れか１の伝送路にパススルーさせる場合には本実施形態が同様に適用される。複数の伝送路にパススルーされる場合については第２実施形態で説明する。
【００１６】
〔地上波デジタル放送のチャンネルスキャン〕
図２は、本実施形態のテレビジョン受信機１で実行されるチャンネルスキャンのフローチャートである。図２の処理は、ＣＰＵ５において実行されるチャンネルスキャンソフトウェアによって実行される。
【００１７】
ここでは、ＵＨＦ帯（ＵＨＦ１３〜６３）を流れる地上波デジタル放送をＶＨＦ帯（ＶＨＦ１〜１２）、ＣＡＴＶ帯（ＣＡＴＶ１３〜６３）、ＵＨＦ帯（ＵＨＦ１３〜６３）の何れかの伝送路にパススルーされる可能性があるとして説明する。
【００１８】
Ｓ２０では、ＶＨＦ帯のチャンネルｘを１、ＣＡＴＶ帯のチャンネルｙを１３、ＵＨＦ帯のチャンネルｚを１３に夫々初期化する。Ｓ２１では、ＶＨＦ帯のチャンネルｘに地上波デジタル放送波が流れているか否かを判別する。チャンネルｘに地上波デジタル放送波が流れている場合には、ＶＨＦ帯に地上波デジタル放送がパススルーされていると判断し、現在のチャンネルｘをチャンネルマップメモリに記録し、Ｓ２８に移行し、ＶＨＦ帯のみで、残りのチャンネルをスキャンする。一方、Ｓ２１において、チャンネルｘに地上波デジタル放送波が流れていない場合には、Ｓ２２に移行してチャンネルｘを次のチャンネルに設定する。次に、Ｓ２３では、ＣＡＴＶ帯のチャンネルｙに地上波デジタル放送波が流れているか否かを判別し、チャンネルｙに地上波デジタル放送波が流れていれば、ＣＡＴＶ帯に地上波デジタル放送がパススルーされていると判断し、現在のチャンネルｙをチャンネルマップメモリに記録し、Ｓ２９に移行し、ＣＡＴＶ帯のみで、残りのチャンネルをスキャンする。一方、Ｓ２３において、チャンネルｙに地上波デジタル放送波が流れていない場合には、Ｓ２４に移行してチャンネルｙを次のチャンネルに設定する。次に、Ｓ２５では、ＵＨＦ帯のチャンネルｚに地上波デジタル放送波が流れているか否かを判別する。チャンネルｚに地上波デジタル放送波が流れている場合には、ＵＨＦ帯に地上波デジタル放送波がパススルーされていると判断し、現在のチャンネルｚをチャンネルマップメモリに記録し、Ｓ３０に移行し、ＵＨＦ帯のみで、残りのチャンネルをスキャンする。一方、Ｓ２５において、チャンネルｚに地上波デジタル放送波が流れていない場合には、Ｓ２６において、チャンネルｚを次のチャンネルに設定する。次にＳ２６では、ｚ＝６４か否か、即ち、ＵＨＦ帯のラストチャンネル６３がスキャン終了か否かを判別し、ラストチャンネルがスキャン済であればチャンネルスキャン処理を終了する。一方、ＵＨＦ帯のラストチャンネルがスキャン終了していない場合にはＳ２７に移行し、ＶＨＦ帯のラストチャンネルが終了したか否かを判別し、ＶＨＦ帯の全チャンネルがスキャン済である場合にはＳ２３に戻って、ＣＡＴＶ帯及びＵＨＦ帯のスキャンを継続し、ＶＨＦ帯の全チャンネルが未だスキャン済ではない場合には、Ｓ２１に戻って、ＶＨＦ帯、ＣＡＴＶ帯、ＵＨＦ
帯のスキャンを継続する。
【００１９】
図３は、Ｓ２８における処理のフローチャートである。Ｓ３１では、次のチャンネルｘ＋１をチャンネルｘｘの初期値に設定する。Ｓ３２では、チャンネルｘｘに地上波デジタル放送が流れているか否かを判別し、流れていればＳ３３において現在のｘｘをチャンネルマップに記録し、Ｓ３４に移行する。一方、チャンネルｘｘに地上波デジタル放送が流れていない場合には、そのままＳ３４に移行する。Ｓ３４ではチャンネルｘｘを次のチャンネルに設定し、Ｓ３５ではチャンネルｘｘが１４か否か、ＶＨＦ帯の全チャンネルがスキャン済か否かを判別する。全チャンネルがスキャン済であればチャンネルスキャンを終了し、全チャンネルがスキャン済でなければＳ３２に戻って、チャンネルスキャンを繰り返す。
【００２０】
図４は、Ｓ２９における処理のフローチャートである。Ｓ４１では、次のチャンネルｙ＋１をチャンネルｙｙの初期値に設定する。Ｓ４２では、チャンネルｙｙに地上波デジタル放送波が流れているか否かを判別し、流れていればＳ４３において現在のｙｙをチャンネルマップに記録し、Ｓ４４に移行する。一方、チャンネルｙｙに地上波デジタル放送波が流れていなければ、そのままＳ４４に移行する。Ｓ４４では、チャンネルｙｙを次のチャンネルに設定し、Ｓ４５ではＣＡＴＶ帯の全チャンネルがスキャン済か否かを判別し、全チャンネルがスキャン済であれば、チャンネルスキャンを終了し、全チャンネルがスキャン済でなければＳ４２に戻って、チャンネルスキャンを繰り返す。
【００２１】
図５は、Ｓ３０における処理のフローチャートである。Ｓ５１では、次のチャンネルｚ＋１をチャンネルｚｚの初期値に設定する。Ｓ５２では、チャンネルｚｚに地上波デジタル放送波が流れているか否かを判別し、流れていればＳ５３において現在のｚｚをチャンネルマップに記録し、Ｓ５４に移行する。一方、チャンネルｚｚに地上波デジタル放送波が流れていなければ、そのままＳ５４に移行する。Ｓ５４では、チャンネルｚｚを次のチャンネルに設定し、Ｓ５５ではＵＨＦ帯の全チャンネルがスキャン済か否かを判別し、全チャンネルがスキャン済であれば、チャンネルスキャンを終了し、全チャンネルがスキャン済でなければＳ５２に戻って、チャンネルスキャンを繰り返す。
【００２２】
〔作用効果〕
本実施形態では、ＶＨＦ帯、ＣＡＴＶ帯、ＵＨＦ帯の各伝送路のチャンネルを１ずつスキャンし、地上波デジタル放送波が流れているチャンネルが見つかった時点でそのチャンネルの伝送路のみで、残りのチャンネルをスキャンするようにしてので、各伝送路ごとに全チャンネルをスキャンする場合に比較して、チャンネルスキャンの回数を低減し、チャンネルスキャンに要する処理時間を短縮することができる。特に、共聴施設、難視聴施設、ＣＡＴＶ事業者等によってパススルーされた地上波デジタル放送波を受信する場合には、パススルーされた伝送路及び当該伝送路におけるチャンネルを速やかに検出することができ、チャンネルスキャンの回数を低減し、チャンネルスキャンに要する処理時間を短縮することができる。
【００２３】
（２）第２実施形態
第１実施形態では、１つの伝送路にパススルーされた場合について説明したが、２つの伝送路にパススルーされた場合には、図６に示す処理によって第１実施形態の場合と同様の効果を得ることができる。
【００２４】
図６は、第２実施形態のテレビジョン受信機１で実行されるチャンネルスキャンのフローチャートである。図６では、Ｓ２８、Ｓ２９、Ｓ３０の各ステップにおいて何れかの伝送路についての全チャンネルのスキャンが終了した時点で、チャンネルスキャンを終了するのではなく、即ち、何れかの伝送路において地上波デジタル放送波を検出した時点で処理を終了するのではなく、残りの他の伝送路についてチャンネルスキャンを継続する。即
ち、地上波デジタル放送波が流れる伝送路を１つ発見した後にも、地上波デジタル放送波が流れる他の伝送路の発見を試みる。
【００２５】
Ｓ２８、Ｓ２９、Ｓ３０の各処理が終了すると、ＶＨＦ帯スキャン終了を表すフラグ１、ＣＡＴＶ帯スキャン終了を表すフラグ２、ＵＨＦ帯スキャン終了を表すフラグ３を夫々オンする。また、Ｓ６１では、フラグ３を参照してＵＨＦ帯のスキャンが終了しているか否かを判別し、終了していれば（フラグ３がオン）、ＵＨＦ帯の処理に対応するＳ２５〜Ｓ２６を省略する。また、Ｓ６２では、フラグ１を参照してＶＨＦ帯のスキャンが終了しているか否かを判別し、終了していれば（フラグ１がオン）、ＶＨＦ帯の処理に対応するＳ２１〜Ｓ２２を実行せず、Ｓ６３に移行する。Ｓ６３では、フラグ２を参照してＣＡＴＶ帯のスキャンが終了しているか否かを判別し、終了していれば（フラグ２がオン）、ＣＡＴＶ帯の処理に対応するＳ２３〜Ｓ２４を省略する。Ｓ６４では、フラグ１〜３のうち２つのフラグがオンになっているか否かを判別し、２つのフラグがオンであれば処理を終了する。
【００２６】
このような図６の処理によれば、地上波デジタル放送波が２以上の伝送路にパススルーされている場合にも、地上波デジタル放送波が流れているチャンネルが発見された伝送路から順次、伝送路のチャンネルスキャンを完了させ、２つの伝送路が発見された時点で処理を終了するので、３つの伝送路の全てについて各伝送路の全チャンネルをスキャンする場合に比較して、チャンネルスキャンの回数を低減し、チャンネルスキャンに要する処理時間を短縮することができる。
【００２７】
ここでは、全伝送路が３つの場合に、２つの伝送路にパススルーされている場合を例示したが、全伝送路が４以上の場合にも、全伝送路の数よりも少ない伝送路にパススルーされている状況では、チャンネルスキャンの回数を低減し、チャンネルスキャンに要する処理時間を短縮することができる。
【図面の簡単な説明】
【００２８】
【図１】テレビジョン受信機の概略構成図。
【図２】第１実施形態に係るチャンネルスキャンのフローチャート。
【図３】ＶＨＦ帯での残りの処理。
【図４】ＣＡＴＶ帯での残りの処理。
【図５】ＵＨＦ帯での残りの処理。
【図６】第２実施形態に係るチャンネルスキャンのフローチャート。
【符号の説明】
【００２９】
１  テレビジョン受信機
２  チューナ部
３  デコーダ部
４  Ｄ／Ａ部
５  ＣＰＵ
６  ＲＡＭ
７  ＲＯＭ
８  チャンネルマップメモリ
９  パススルー装置
【図１】
2005318182.tif 000003
【図２】
2005318182.tif 000004
【図３】
2005318182.tif 000005
【図４】
2005318182.tif 000006
【図５】
2005318182.tif 000007
【図６】
2005318182.tif 000008